【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
高流量呼吸治療を患者にもたらし、前記患者からの吐出又は呼息ガスをサンプリングするための呼吸治療システムであって、
呼吸ガス送達チューブと流体連通する非封止型の患者インターフェースを備える呼吸装置であり、前記呼吸ガス送達チューブが、加湿及び／又は加熱された高流量の呼吸ガスを、前記患者インターフェースを通して前記患者に送達するようになっている、呼吸装置と、
導管を備えるガスサンプリングインターフェースであり、前記導管が、呼吸ガスモニタと流体連通する第１の端部、及び前記患者から吐出され又は呼息された呼吸ガスを受け入れるためのガスサンプリング先端具を備える第２の遠位端を含む、ガスサンプリングインターフェースとを具備し、
前記ガスサンプリングインターフェースの前記導管が、前記呼吸装置に取付け可能であり、前記ガスサンプリング先端具が、前記患者の鼻又は口から吐出又は呼息されたガスをサンプリングするように動かせる、呼吸治療システム。
【請求項２】
前記呼吸装置が、１５〜１５０Ｌ／分の流量で、前記患者に呼吸ガスを供給する、請求項１に記載の呼吸治療システム。
【請求項３】
前記患者が新生児の患者であり、前記システムが、２Ｌ／分／ｋｇの流量で呼吸ガスを送達するように構成されている、請求項１に記載の呼吸治療システム。
【請求項４】
前記導管が、遠位端部分を所望の形状に操作して前記患者の鼻又は口の方へ選択的に誘導することを可能にする可撓性の弾性支持構造を備える、請求項１〜３のいずれか一項に記載の呼吸治療システム。
【請求項５】
前記可撓性の弾性支持構造が、前記導管内に位置するワイヤを備え、前記ワイヤが、前記導管の少なくとも一部分を屈曲させてフック状の形状を形成することを可能にする、請求項４に記載の呼吸治療システム。
【請求項６】
前記ワイヤの直径が、前記導管の内径より小さく、前記ワイヤと前記導管の内壁との間に、前記導管に沿ってガスが流れることを可能にする間隙が形成されている、請求項５に記載の呼吸治療システム。
【請求項７】
前記導管が、第１のガス受入れ内腔及び第２の支持内腔を備え、前記ワイヤが、前記支持内腔の少なくとも一部分に位置している、請求項５に記載の呼吸治療システム。
【請求項８】
前記ワイヤが、前記導管と共押出しされている、請求項５〜７のいずれか一項に記載の呼吸治療システム。
【請求項９】
前記ワイヤが、前記遠位端部分を屈曲させてフック状の形状を形成することを可能にするように、前記導管の前記遠位端部分に位置している、請求項５〜７のいずれか一項に記載の呼吸治療システム。
【請求項１０】
前記ガスサンプリングインターフェースを前記呼吸装置に取り付けるための取付け部材をさらに備える、請求項１〜９のいずれか一項に記載の呼吸治療システム。
【請求項１１】
前記取付け部材が、前記ガスサンプリングインターフェースを前記呼吸装置のマニホルドに取り付けるように構成されている、請求項１０に記載の呼吸治療システム。
【請求項１２】
前記取付け部材が、前記呼吸ガス送達チューブと一体化され、又は前記呼吸ガス送達チューブに取り付けられており、
前記取付け部材が、前記呼吸ガス送達チューブの一部分を少なくとも部分的に囲むスリーブを備え、
前記スリーブが、前記導管の一部分を受け入れて前記導管を前記呼吸装置に取り付けるための、前記スリーブの外面に位置する少なくとも１つのクリップを備える、請求項１０又は１１に記載の呼吸治療システム。
【請求項１３】
前記スリーブが、互いにオフセットされた１対のクリップを備える、請求項１２に記載の呼吸治療システム。
【請求項１４】
各クリップが、チューブ受入れ領域を含むフックを備え、前記チューブ受入れ領域内には、前記導管の一部分が蛇行経路をたどるように位置することができる、請求項１２に記載の呼吸治療システム。
【請求項１５】
前記フック同士が、互いに反対方向を向いている、請求項１４に記載の呼吸治療システム。
【請求項１６】
前記スリーブの内面が、前記呼吸ガス送達チューブの外面にあるリブ状構成に係合又は連結するように構成されている、請求項１２〜１５のいずれか一項に記載の呼吸治療システム。
【請求項１７】
前記スリーブの内面が、前記呼吸ガス送達チューブの外面にあるリブ状構成に係合又は連結する少なくとも１つのリブを備える、請求項１２〜１５のいずれか一項に記載の呼吸治療システム。
【請求項１８】
前記ガスサンプリング先端具が、患者によって吐出され又は呼息されたガスを受け入れるための少なくとも１つのガス受入れアパーチャを含む実質上中空の本体を備え、前記ガス受入れアパーチャが、前記導管と流体連通しており、前記先端具の前記本体が、遠位端面及び外側面を含む遠位端部分をさらに備える、請求項１〜１７のいずれか一項に記載の呼吸治療システム。
【請求項１９】
前記少なくとも１つのガス受入れアパーチャが、前記ガス受入れアパーチャが前記ガスサンプリング先端具の前記遠位端面から前記外側面に沿って延びるように、前記遠位端面と外周側面との両方に形成されている、請求項１８に記載の呼吸治療システム。
【請求項２０】
前記少なくとも１つのガス受入れアパーチャが、前記ガスサンプリング先端具の前記遠位端部分に細長い開口を形成している、請求項１８又は１９に記載の呼吸治療システム。
【請求項２１】
前記本体が、実質上円筒形の形状を有する、請求項１８〜２０のいずれか一項に記載の呼吸治療システム。
【請求項２２】
前記ガスサンプリング先端具の前記遠位端が、外方へ湾曲している、請求項１８〜２１のいずれか一項に記載の呼吸治療システム。
【請求項２３】
前記ガスサンプリング先端具の前記遠位端部分が、実質上球状である、請求項１８〜２２のいずれか一項に記載の呼吸治療システム。
【請求項２４】
前記ガスサンプリング先端具が、前記サンプリング先端具の前記遠位端の周りに均一に隔置された少なくとも３つのガス受入れアパーチャを備える、請求項１８〜２３のいずれか一項に記載の呼吸治療システム。
【請求項２５】
前記ガス受入れアパーチャ間に位置する前記本体の各部分が、縦ひだを形成しており、前記縦ひだが、前記ガスサンプリング先端具の前記遠位端部分の周縁に実質上均一に隔置されている、請求項２４に記載の呼吸治療システム。
【請求項２６】
前記呼吸装置が、鼻カニューレである、請求項１〜２５のいずれか一項に記載の呼吸治療システム。
【請求項２７】
前記鼻カニューレがマニホルドを備え、前記マニホルドが、前記マニホルドから延びるとともに使用者の鼻孔に受け入れられる、少なくとも１つの鼻プロング又は出口を支持するためのものである、請求項２６に記載の呼吸治療システム。
【請求項２８】
前記ガスサンプリングインターフェースを前記鼻カニューレの前記マニホルドに取り付けるように構成された取付け部材をさらに備える、請求項２７に記載の呼吸治療システム。
【請求項２９】
前記呼吸ガス送達チューブが、前記患者の顔の側面に沿って延びるように構成されている、請求項２７又は２８に記載の呼吸治療システム。
【請求項３０】
使用に際して、前記マニホルドが、前記患者の顔の一側から前記鼻カニューレにガスを送達するように構成されている、請求項２７〜２９のいずれか一項に記載の呼吸治療システム。
【請求項３１】
前記鼻カニューレが、サイドアーム及び／又はヘッドストラップをさらに備える、請求項２６〜３０のいずれか一項に記載の呼吸治療システム。
【請求項３２】
前記呼吸ガス送達チューブが、前記鼻カニューレのサイドアームに沿って位置するように構成されている、請求項３１に記載の呼吸治療システム。
【請求項３３】
前記呼吸装置による治療を受けている前記患者が無呼吸である、請求項１〜３２のいずれか一項に記載の呼吸治療システム。
【請求項３４】
前記ガスサンプリング先端具が、患者の口若しくは鼻孔に又は口内若しくは鼻孔内で選択的に位置決めされるように構成されている、請求項１〜３３のいずれか一項に記載の呼吸治療システム。